(57)【要約】【課題】分解を必要とせずに記憶媒体を回転させることが記憶媒体駆動装置を提供する。【解決手段】記憶媒体駆動装置１１は、収容空間を形成する筐体１２と、収容空間内に配置される固定子１７と、収容空間内に配置されて固定子１７に対して回転自在であり、記憶媒体１５が固定された回転子１８と、を備える。記憶媒体１５が固定された回転子１８の一部を筐体１２の外面に露出させることによって、筐体１２の外側から回転子１８を回転可能に構成している。その結果、仮に回転子１８が回転しなくなる不具合が発生しても、記憶媒体駆動装置１１を分解することなく筐体１２の外側から回転子１８を回転させることができる。従って、クリーンルームなどの特殊な環境を必要とせずに、通常のオフィスや家庭の環境において記憶媒体１５の情報を容易に復元することができる。【選択図】図１
2013182639.tif 000002
【特許請求の範囲】
【請求項１】
収容空間を形成する筐体と、
前記収容空間内に配置される固定子と、
前記収容空間内に配置されて前記固定子に対して回転自在であり、記憶媒体が固定された回転子と、を備え、
前記回転子の一部を前記筐体の外面に露出させることによって前記筐体の外側から前記回転子を回転可能に構成することを特徴とする記憶媒体駆動装置。
【請求項２】
請求項１に記載の記憶媒体駆動装置において、
前記回転子は、当該回転子の回転中心を構成する回転軸を備え、
前記回転軸はその上端及び下端の少なくともいずれか一方を前記筐体の外面に露出させることを特徴とする記憶媒体駆動装置。
【請求項３】
請求項２に記載の記憶媒体駆動装置において、
前記筐体に形成される貫通孔と、
前記貫通孔に装着されて、前記回転軸の上端及び下端の少なくともいずれか一方を回転自在に支持する軸受けと、を備えることを特徴とする記憶媒体駆動装置。
【請求項４】
請求項３に記載の記憶媒体駆動装置において、前記回転軸の上端又は下端は前記筐体の輪郭よりも内側に配置されることを特徴とする記憶媒体駆動装置。
【請求項５】
請求項２〜４のいずれか１項に記載の記憶媒体駆動装置において、前記筐体の外面に露出する前記前記回転軸の上端及び下端の少なくともいずれか一方に、前記回転子を回転させるための回転機構に連結される連結部が形成されることを特徴とする記憶媒体駆動装置。
【発明の詳細な説明】
【技術分野】
【０００１】
本発明は、例えばハードディスクなどの記憶媒体を駆動する記憶媒体駆動装置に関する。
【背景技術】
【０００２】
特許文献１〜３にはハードディスク駆動装置（ＨＤＤ）が開示されている。これらのハードディスク駆動装置は、回転軸と、回転軸に固定されたハブと、ハブに固定されたハードディスクと、を備えている。回転軸は、流体軸受けや玉軸受けを介して固定子に回転自在に支持されている。回転軸の回転時すなわちハードディスクの回転時、ハードディスクの表面や裏面に対向する磁気ヘッドが、ハードディスクから磁気情報を読み出したり、ハードディスクに磁気情報を書き込んだりする。こうしたハードディスク駆動装置は例えば携帯型の音楽プレーヤなどで利用されている。
【先行技術文献】
【特許文献】
【０００３】
【特許文献１】特開２０００−０４１３６０号公報
【特許文献２】特公昭６０−０５９６６１号公報
【特許文献３】特公平０６−００５９８０号公報
【発明の概要】
【発明が解決しようとする課題】
【０００４】
音楽プレーヤの持ち運び時、衝撃などによってスピンドルモータが回転しなくなるなどの不具合が発生する。上述の特許文献１〜３に開示されたハードディスク駆動装置では、回転軸やハブが、カバーやベースで覆われており、ハードディスクの磁気情報の復元にあたって、ハードディスク駆動装置を分解して露出させたスピンドルモータに処置を施さなければならない。これらの作業はクリーンルームなどの塵埃の少ない特殊な環境で実施する必要があり、作業環境面での制約が非常に大きいものとなっている。
【０００５】
本発明は、上記実情に鑑みてなされたものであって、分解を必要とせずに記憶媒体を回転させることができる記憶媒体駆動装置を提供することを目的とする。
【課題を解決するための手段】
【０００６】
上記目的を達成するため、本発明によれば、
収容空間を形成する筐体と、
前記収容空間内に配置される固定子と、
前記収容空間内に配置されて前記固定子に対して回転自在であり、記憶媒体が固定された回転子と、を備え、
前記回転子の一部を前記筐体の外面に露出させることによって前記筐体の外側から前記回転子を回転可能に構成する記憶媒体駆動装置が提供される。
【０００７】
こうした記憶媒体駆動装置によれば、記憶媒体が固定された回転子の一部を筐体の外面に露出させることによって、筐体の外側から回転子を回転可能に構成している。その結果、仮に回転子が回転しなくなる不具合が発生しても、記憶媒体駆動装置を分解することなく筐体の外側から回転子を回転させることができる。従って、クリーンルームなどの特殊な環境を必要とせずに、通常のオフィスや家庭の環境において記憶媒体の情報を容易に復元することができる。
【０００８】
本発明の記憶媒体駆動装置では、前記回転子は、当該回転子の回転中心を構成する回転軸を備え、前記回転軸はその上端及び下端の少なくともいずれか一方を当該筐体の外面に露出させることが好ましい。こうして回転子の回転中心を構成する回転軸の上端及び下端の少なくともいずれか一方が筐体の外面に露出しているので、この回転軸を介して記憶媒体を簡単に回転させることができる。
【０００９】
また本発明に係る記憶媒体駆動装置は、
前記筐体に形成される貫通孔と、
前記貫通孔に装着されて、前記回転軸の上端及び下端の少なくともいずれか一方を回転自在に支持する軸受けと、を備える。
【００１０】
こうした記憶媒体駆動装置では、筐体に形成される貫通孔に軸受けが装着され、軸受けは回転軸の上端及び下端の少なくともいずれか一方を回転自在に支持する。こうした構成によれば、回転子及び固定子の間には軸受けは配置されないので、回転子及び固定子の間に軸受けの配置スペースを確保する必要がない。その一方で、軸受けは、筐体に形成される貫通孔内に配置されるので、軸受けの配置スペースの分だけ筐体の薄型化を実現することができる。
【００１１】
また、本発明に係る記憶媒体駆動装置では、前記回転軸の上端又は下端は前記筐体の輪郭よりも内側に配置されることが好ましい。こうした構成によれば、筐体の外側に露出する回転軸の上端又は下端が筐体の輪郭よりも内側に配置されるので、筐体の寸法の増大を回避することができる。しかも、筐体の外側に配置される他の構成要素に対する回転軸の接触を回避することができる。
【００１２】
また、本発明に係る記憶媒体駆動装置では、前記筐体の外面に露出する前記前記回転軸の上端及び下端の少なくともいずれか一方に、前記回転子を回転させるための回転機構に連結される連結部が形成されることが望ましい。
【発明の効果】
【００１３】
以上のように、本発明によれば、分解を必要とせずに記憶媒体を回転させることができる記憶媒体駆動装置を提供することができる。
【図面の簡単な説明】
【００１４】
【図１】本発明の一実施形態に係る記憶媒体駆動装置の構成を概略的に示す部分拡大断面図である。
【図２】本発明の一実施形態に係る記憶媒体駆動装置の回転軸に外部の回転機構の回転軸が連結される様子を概略的に示す図である。
【図３】従来例に係る記憶媒体駆動装置の構成を概略的に示す部分拡大断面図である。
【発明を実施するための形態】
【００１５】
以下、添付図面を参照しながら本発明の一実施形態について説明する。図１は、本発明の一実施形態に係る記憶媒体駆動装置すなわちハードディスク駆動装置（ＨＤＤ）１１の構成を概略的に示す部分拡大断面図である。ＨＤＤ１１は筐体すなわちハウジング１２を備える。ハウジング１２は、例えば平たい直方体形状の収容空間を形成するベース１３と、ベース１３の開口に結合されて収容空間を密閉するカバー１４と、を備える。
【００１６】
ハウジング１２の収容空間には、ディスク状の記憶媒体としての１枚以上の磁気ディスク１５が収容される。本実施形態では３枚の磁気ディスクが収容されている。磁気ディスク１５は例えば２．５インチの直径を有しており、スピンドルモータ１６に固定される。スピンドルモータ１６は、例えば５４００ｒｐｍや７２００ｒｐｍ、１００００ｒｐｍ、１５０００ｒｐｍといった高速度で磁気ディスク１５を回転させることができる。
【００１７】
ハウジング１２の収容空間にはキャリッジ（図示せず）が収容される。キャリッジは、ベース１３の底面から垂直方向に直立する支軸に揺動自在に連結されている。キャリッジは、その先端に複数のキャリッジアームを備えており、各キャリッジアームの先端にはヘッドサスペンションが取り付けられている。ヘッドサスペンションの先端には浮上ヘッドスライダが支持されている。浮上ヘッドスライダは磁気ヘッドすなわち電磁変換素子を搭載している。
【００１８】
磁気ディスク１５の回転時、磁気ディスク１５の表面で生成される気流によって浮上ヘッドスライダは磁気ディスク１５の表面から浮上する。このとき、キャリッジが支軸回りで揺動することによって、浮上ヘッドスライダ上の電磁変換素子は磁気ディスク１５上の目標の記録トラックに位置決めされる。こうして磁気ディスク１５に記憶された磁気情報が読み出される、又は、磁気ディスク１５に磁気情報が書き込まれる。キャリッジの揺動は、同様にハウジング１２の収容空間に収容されるボイスコイルモータ（ＶＣＭ）の働きで実現される。
【００１９】
スピンドルモータ１６は固定子１７を備える。固定子１７は回転自在に回転子１８を支持している。固定子１７は、ベース１３の底板に例えばねじ（図示せず）によって固定されるブラケット１９を備える。ブラケット１９は、ベース１３の底板に沿って広がるベース板１９ａと、ベース板１９ａから垂直方向に直立する円筒形の円筒部１９ｂと、を有している。
【００２０】
その一方で、回転子１８は、固定子１７の円筒部１９ｂ内の円柱空間に配置される円柱形の回転軸２１と、回転軸２１の外周面に固定されたスピンドルハブ２２と、を備える。回転軸２１の外周面と円筒部１９ｂの内周面との間には所定の隙間が形成される。スピンドルハブ２２は、円柱空間を形成する円筒状の円筒体２３を備える。円筒体２３内の円柱空間に固定子１７の円筒部１９ｂが配置されている。円筒体２３、円筒部１９ｂ及び回転軸２１はすべて同軸に配置される。
【００２１】
円筒体２３の下端には円筒体２３から外向きに広がるフランジ２４が形成される。このフランジ２４は、円筒体２３に固定される下側の磁気ディスク１５を受け止める。磁気ディスク１５同士の間には環状スペーサ２５が配置されており、環状スペーサ２５は磁気ディスク１５同士の間隔を保持している。円筒体２３の上端にはクランプすなわちキャップ２６が取り付けられており、キャップ２６は、フランジ２４との間に磁気ディスク１５及び環状スペーサ２５を挟み込んでいる。
【００２２】
回転軸２１の上端及び下端は、カバー１４及びベース１３にそれぞれ形成された例えば円柱形の貫通孔２７、２８内に装着された軸受け２９、３０に回転自在に支持される。こうして回転軸２１の上端及び下端は貫通孔２７、２８内にそれぞれ受け入れられる。本実施形態では軸受け２９、３０には例えば玉軸受けが用いられる。こうした構成によれば、回転軸２１は、カバー１４の上面やベース１３の底面に直交するその回転中心Ｘ回りに回転することができる。回転軸２１の回転中心Ｘは回転子１８の回転中心に一致する。
【００２３】
本実施形態では、図１から明らかなように、回転中心Ｘに沿った方向に規定される軸受け２９、３０の厚さはカバー１４及びベース１３の厚さよりも小さく設定されるので、軸受け２９、３０は貫通孔２７、２８内に完全に収容される。その一方で、回転軸２１の上端及び下端はそれぞれ、ハウジング１２の輪郭すなわちカバー１４の上面及びベース１３の底面よりも内側に配置されている。言い替えれば、回転軸２１の上端及び下端はそれぞれハウジング１２の外面から外側に突出していない。こうした構成によれば、ハウジング１２の寸法の増大を回避することができるとともに、ハウジング１２の外側に配置される他の構成要素に対する回転軸２１の接触を回避することができる。
【００２４】
軸受け２９、３０はそれぞれ、回転軸２１の円筒外周面に固定される内輪２９ａ、３０ａと、貫通孔２７、２８の内周面に固定される外輪２９ｂ、３０ｂと、内輪２９ａ、３０ａ及び外輪２９ｂ、３０ｂの間に配置される複数のボール３１、３２と、を備える。軸受け２９、３０では、ボール３１、３２の回転によって内輪２９ａ、３０ａと外輪２９ｂ、３０ｂとの間で相対回転が実現される。すなわち、内輪２９ａ、３０ａは回転軸２１とともに回転する。これら軸受け２９、３０はハウジング１２内に塵埃を進入させない構造体である。
【００２５】
固定子１７は、円筒部１９ｂの円筒外周面に固定される一群の固定子鉄心すなわちコア３３と、コア３３に巻き付けられた電磁石すなわちコイル３４と、を備える。その一方で、回転子１８は、円筒部１９ｂの円筒外周面に対向する円筒体２３の円筒内周面に固定された複数の永久磁石３５を備える。永久磁石３５はコイル３４に対向する。コイル３４に電流が供給されると、コイル３４で生じる磁界によってスピンドルハブ２２すなわち回転子１８は回転軸１２の回転中心Ｘ回りで回転する。
【００２６】
ハウジング１２の外面に露出する回転軸２１の上端面及び下端面には、後述の回転機構の回転軸に連結される連結部３６、３７がそれぞれ形成される。図２に示すように、本実施形態では、連結部３６、３７は、外部の回転機構３８の回転軸３９から突出する突出部４０に嵌合する溝から形成される。連結部３６、３７は、回転軸２１の上端面及び下端面内で回転軸２１の回転中心Ｘ上に配置される。突出部４０といずれか一方の連結部３６、３７との嵌合によって回転軸３９の動力は回転軸２１に伝達され、回転軸２１すなわち回転子１８を回転させることができる。
【００２７】
以上のようなＨＤＤ１１では、回転軸２１の上端及び下端がハウジング１２の外面に露出しているので、回転軸２１の上端又は下端には外部の回転機構３８の回転軸３９を連結することができる。従って、スピンドルモータ２２の故障によって回転子１８が回転しなくなる不具合が発生しても、ハウジング１２を分解することなく回転機構３８によって回転軸２１すなわち磁気ディスク１５を回転させることができる。従って、クリーンルームなどの特殊な環境を必要とせずに、通常のオフィスや家庭の環境において磁気ディスク１５の磁気情報を容易に復元することができる。
【００２８】
しかも、図３に示すように、従来例のＨＤＤでは、軸受け２９、３０は、ブラケット１９の円筒部１９ｂの円筒内周面と回転軸２１の円筒外周面との間に配置される。軸受け２９、３０の間で円筒部１９ｂの円筒外周面にはコア３３及びコイル３４が固定されている。カバー１４やベース１３には貫通孔２７、２８は形成されない。なお、スピンドルモータ２２の性能（回転トルク）はコイル３４及び永久磁石３５の大きさで決定されるので、図３の従来例のＨＤＤ及び図１の本実施形態のＨＤＤ１１の間でコイル３４及永久磁石３５を同一のサイズで描いた。
【００２９】
その結果、本実施形態に係るＨＤＤ１１に比べると、単純に軸受け２９、３０の厚さの分だけハウジング１２の厚さが増大する。こうした比較によれば、本実施形態に係るＨＤＤ１１では従来例に比べて、スピンドルモータ１６の性能を維持しつつ薄型化が実現されたことが分かる。すなわち、薄型化の実現にあたってコイル３４及び永久磁石３５のサイズは変わらないので、従来例と同等に十分な回転トルクを確保することができる。また、薄型化の実現にあたってカバー１４やベース１３の厚さを減少させる必要もない。
【００３０】
なお、コイル３４が固定された円筒部１９ｂの円筒外周面のすぐ裏の円筒部１９ｂの円筒内周面との間に軸受け２９、３０を配置することも可能であるが、この場合は回転中心Ｘに直交する方向にスピンドルハブ２２の円筒体２３の外径が増大してしまう。従って、この構成を採用すると、磁気ディスク１５の記憶領域の面積を減少させるか、又は、コイル３４や永久磁石３５のサイズを減少させなくてはならないため、好ましくない。
【００３１】
なお、上述の実施形態では、回転軸２１の上端及び下端の両方がハウジング１２の外側に露出している構成を説明したが、代替として、回転軸２１の上端及び下端のいずれか一方のみがハウジング１２の外側に露出する構成にしてもよい。このとき、ハウジング１２の外面に露出しない回転軸２１の上端及び下端のいずれか一方の軸受け２９、３０は、回転軸１２の外周面と円筒部１８ｂの内周面との間に配置される。また、その当該軸受け２９、３０は、回転中心Ｘに沿ってコイル３４よりも外側の位置に配置される。
【００３２】
その他、上述の実施形態では、連結部３６、３７が溝から形成された一方で外部の回転機構３８の回転軸３９に突出部４０が形成されたものの、代替として、例えば回転軸２１の上端及び下端に突出部が形成される一方で外部の回転機構３８の回転軸３９に溝が形成されてもよい。その他、連結部３６、３７は回転軸２１の上端面及び下端面のいずれか一方にのみ形成されてもよい。
【符号の説明】
【００３３】
１１    記憶媒体駆動装置（ハードディスク駆動装置）
１２    筐体（ハウジング）
１５    記憶媒体（磁気ディスク）
１７    固定子
１８    回転子
２１    回転軸
２７、２８    貫通孔
２９、３０    軸受け
３６、３７    連結部
３８    回転機構
Ｘ    回転中心
【図１】
2013182639.tif 000003
【図２】
2013182639.tif 000004
【図３】
2013182639.tif 000005